(57)【要約】手乾燥装置は、手乾燥室（２）と、ノズル（３）と、電動送風機（４）とを備えている。ノズル（３）は第一のノズル（３ａ）と、第一のノズル（３ａ）と所定距離（２４）を離して設けた第二のノズル（３ｂ）とから構成されている。そして第二のノズル（３ｂ）は、手乾燥室（２）の中央近傍の所定の領域（１４）に向けて高圧空気（２３）を吹き出す。
2014049921.tif 000002
【特許請求の範囲】
【請求項１】
手前側から奥側に向けての挿入方向に沿って手を挿入する手乾燥装置であって、
前記手前側の外部に向かって開口した手挿入口から手を抜き差しする手乾燥室と、
前記手乾燥室に向けて高圧空気を送出するノズルと、
前記ノズルから前記高圧空気を送出する電動送風機とを備え、
前記ノズルは前記手挿入口の近傍に前記挿入方向に直交して列状に配列した第一のノズルと、
前記手挿入口から前記第一のノズルよりも前記奥側に前記第一のノズルと所定距離を離して設けた第二のノズルとから構成され、
前記第二のノズルは前記手乾燥室の中央近傍の所定の領域に向けて前記高圧空気を吹き出すことを特徴とする手乾燥装置。
【請求項２】
前記第二のノズルは、第一の吹出孔と第二の吹出孔とを含む複数の第二ノズル吹出孔により構成され、
前記第一の吹出孔は前記複数の第二ノズル吹出孔の中において一方の端に位置し、
前記第二の吹出孔は前記複数の第二ノズル吹出孔の中において他方の端に位置し、
前記第一の吹出孔と前記第二の吹出孔との第二ノズル吹出孔間距離が２０ｍｍ以上１５０ｍｍ以下としたことを特徴とする請求項１記載の手乾燥装置。
【請求項３】
複数の前記第二ノズル吹出孔は、それぞれ吹出方向が互いに平行であることを特徴とする請求項２記載の手乾燥装置。
【請求項４】
前記第一のノズルの第一ノズル吹出気流の風速は、前記第二のノズルの第二ノズル吹出気流の風速よりも大きいことを特徴とする請求項１記載の手乾燥装置。
【請求項５】
前記第二ノズル吹出気流の吹出温度は、前記第一ノズル吹出気流の吹出温度よりも高いことを特徴とする請求項４記載の手乾燥装置。
【請求項６】
前記所定距離は、５０ｍｍ以上１００ｍｍ以下であることを特徴とする請求項１記載の手乾燥装置。
【請求項７】
前記第二のノズルの吹出方向は、前記奥側に向かって傾斜させたことを特徴とする請求項１記載の手乾燥装置。
【請求項８】
３０℃〜５０℃の環境下において前記第一のノズルの第一ノズル開口面積は前記第二のノズルの第二ノズル開口面積よりも大きいことを特徴とする請求項１記載の手乾燥装置。
【請求項９】
０℃〜２０℃の環境下において前記第二のノズルの第二ノズル開口面積は前記第一のノズルの第一ノズル開口面積よりも大きいことを特徴とする請求項１記載の手乾燥装置。
【請求項１０】
前記第一のノズルの第一ノズル吹出孔は、前記挿入方向が短辺となる長方形のスリット形状であることを特徴とする請求項１記載の手乾燥装置。
【請求項１１】
前記第二のノズルは、前記挿入方向に対して傾斜させて配置されていることを特徴とする請求項１記載の手乾燥装置。
【請求項１２】
前記第二のノズルは右側第二のノズルと左側第二のノズルとから構成され、前記手前側から前記挿入方向を見て前記右側第二のノズルは前記手乾燥室の中央から右側に設けられ、前記左側第二のノズルは前記手乾燥室の中央から左側に設けられることを特徴とする請求項１１記載の手乾燥装置。
【請求項１３】
前記手を検出するセンサが、前記手乾燥室の上面の中央部に設けられ、前記右側第二のノズルと前記左側第二のノズルとの第二ノズル間距離は５０ｍｍ以上１５０ｍｍ以下にし、前記センサは前記右側第二のノズルと前記左側第二のノズルとの間に設けられることを特徴とする請求項１２記載の手乾燥装置。
【請求項１４】
前記右側第二のノズルと前記左側第二のノズルは前記挿入方向に対して左右対称であることを特徴とする請求項１２記載の手乾燥装置。
【発明の詳細な説明】
【技術分野】
【０００１】
本発明は、手乾燥装置に関する。
【背景技術】
【０００２】
手乾燥装置は、水洗い等により濡れた手を乾燥させるために洗面所、トイレ、またはキッチン等において使用される。従来の手乾燥装置では、手が手乾燥室内に挿入された直後の数秒は、両手の手のひらが広げられてノズルの吹出孔に近接されながら抜き差しされ、ノズルの吹出気流により大きな水滴が吹き飛ばされる。その後に残っている小さな水滴は、手乾燥装置内において両手の手のひら同士がこすり合わされて揉み合わされ、水滴が手のひら全体に広げられながら、吹出気流により吹き飛ばされながら蒸発される。【０００３】
そこで乾燥時間短縮のため、ノズルが手挿入口の近傍に２列配列されている。このような手乾燥装置は、各ノズルの吹出気流が合流されて幅広い気流になるとともに、風速も増し、手に付着した大きな水滴が吹き飛ばされる力が強くなる（例えば、特許文献１参照）。【０００４】
以下、従来の手乾燥装置の側面断面図である図１０を参照しながら説明する。図１０に示すように従来の手乾燥装置は、手乾燥室１０３と、電動送風機１０４と、ノズル１０５とを有している。手乾燥室１０３は外部に向かって開口し、手挿入口１０１から手１０２を抜き差しする。電動送風機１０４は高圧気流を送出し、ノズル１０５から高速の気流を吹き出す。ノズル１０５は、手乾燥室１０３の手挿入口１０１の近傍に、手１０２を挿入する方向に直交して手乾燥室１０３の幅方向の前後方向に２列配列されている。手乾燥室１０３の上面には、挿入された手１０２を検出するセンサ１０６がノズル１０５よりも奥側に備えられている。電動送風機１０４が運転されると、ノズル１０５から空気が手乾燥室１０３に向けて送出され、前方ノズルの気流１０７ａと後方ノズルの気流１０７ｂとはやがて合流して幅が広く、高速の合流気流１０７となる。合流気流１０７が手乾燥室１０３に挿入された手１０２に衝突することにより、手１０２に付着した水滴を吹き飛ばし、手１０２を乾燥させる。【０００５】
このような従来の手乾燥装置は、手１０２の抜き差し時に大きな水滴を吹き飛ばす効果はある。しかし、小さな水滴の蒸発のために手１０２の揉み合わせ時、手挿入口１０１の近傍の手首のみに集中して風が当たる。指先側、あるいは手の甲など手１０２全体には風が当たりにくいため、乾燥ムラが生じて手１０２の乾燥時間が長くなるという課題があった。
【先行技術文献】
【特許文献】
【０００６】
【特許文献１】特開２００５−１６０８７３号公報
【発明の概要】
【０００７】
本発明の手乾燥装置は、手前側から奥側に向けての挿入方向に沿って手を挿入する。そして手乾燥装置は、手前側の外部に向かって開口した手挿入口から手を抜き差しする手乾燥室と、手乾燥室に向けて高圧空気を送出するノズルと、ノズルから高圧空気を送出する電動送風機とを備えている。ノズルは手挿入口の近傍に挿入方向に直交して列状に配列した第一のノズルと、手挿入口から第一のノズルよりも奥側に第一のノズルと所定距離を離して設けた第二のノズルとから構成されている。そして第二のノズルは、手乾燥室の中央近傍の所定の領域に向けて高圧空気を吹き出す。
【０００８】
このような手乾燥装置は、手挿入口の近傍に配列された第一のノズルの気流によって、手の抜き差し時に大きな水滴を吹き飛ばす。また第二のノズルの気流は、第一のノズルの気流に干渉されず、指向性と風速とを保っている。その結果、手を揉み合わせた時、第二のノズルの気流が揉み合わせた手に対して指先側、および手の甲など手全体に当たるため、手の抜き差し後に残った小さな水滴が効果的に吹き飛ばされて蒸発し、手の乾燥時間は短縮される。
【図面の簡単な説明】
【０００９】
【図１】図１は、本発明の実施の形態の手乾燥装置の側面断面図である。
【図２】図２は、同手乾燥装置の一般的な使用例図である。
【図３】図３は、同手乾燥装置の正面図である。
【図４】図４は、同手乾燥装置の第１の異なる形態の側面断面図である。
【図５】図５は、同手乾燥装置の第２の異なる形態の手乾燥室上面図である。
【図６】図６は、同手乾燥装置の第３の異なる形態の手乾燥室上面図である。
【図７】図７は、同手乾燥装置の第４の異なる形態の手乾燥室上面図である。
【図８】図８は、同手乾燥装置の第５の異なる形態の手乾燥室上面図である。
【図９】図９は、図７の手乾燥装置の斜視図である。
【図１０】図１０は、従来の手乾燥装置の側面断面図である。
【発明を実施するための形態】
【００１０】
以下、本発明の実施の形態について図面を参照しながら説明する。
【００１１】
（実施の形態）
図１は本発明の実施の形態の手乾燥装置の側面断面図、図２は同手乾燥装置の一般的な使用例図である。図１および図２に示すように手乾燥装置は、手前側２０の外部２２に向かって開口した手挿入口１から手５を抜き差しする手乾燥室２と、手乾燥室２に向けて０．５ｋＰａ〜１５ｋＰａの高圧空気２３を送出するノズル３と、ノズル３へ高圧空気２３を送出する電動送風機４とを備えている。
【００１２】
この手乾燥装置は、洗面所の壁面１６などに取り付けられる。そして手乾燥装置の正面に使用者が立って、手５を挿入する。手乾燥室２の開口は、使用者に対して正面に設けられている。手５は、手乾燥室２の手前側２０から奥側２１に向けての挿入方向６に沿って挿入される。
【００１３】
手乾燥室２の上面の中央部には、手５の挿入を検出するセンサ７が設けられている。手洗い後の濡れた手５が手乾燥室２に挿入されると、センサ７により手５の挿入が検出され、その検出により電動送風機４が運転される。電動送風機４が運転されると、吸込口８より吸引した吸込空気９がフィルタ１０、吸込風路１１を介して手乾燥装置の内部に流入する。そして吸込空気９は電動送風機４によって昇圧されて、吹出気流１２となりノズル３から送出される。ノズル３から送出された吹出気流１２は、手洗い後の濡れた手５の水分を吹き飛ばし、蒸発させる。手乾燥室２から手５を抜き出し、手５の挿入に対してセンサ７が非検出になると電動送風機４が止まる。
【００１４】
図２に示すように手乾燥装置では、手５が手乾燥室２に挿入された直後の数秒は、両手の手のひらが広げられてノズル３の吹出孔１３に近接される。そして手５が回転されながら抜き差しされ、ノズル３の吹出気流１２により大きな水滴が吹き飛ばされる。その後に残っている小さな水滴は、手乾燥装置内において両手の手のひら同士がこすり合わされ揉み合わされて、水滴が手のひら全体に広げられながら、吹出気流１２により吹き飛ばされ蒸発される。
【００１５】
ここで図１に示すように手乾燥室２の上面に設けられたノズル３は、第一のノズル３ａと、第二のノズル３ｂとから構成されている。第一のノズル３ａは、手挿入口１の近傍に挿入方向６に直交して水平方向に列状に配列されている。第二のノズル３ｂは、手挿入口１から第一のノズル３ａよりも奥側２１に、第一のノズル３ａと所定距離２４を離して設けられている。センサ７は第一のノズル３ａと、第二のノズル３ｂとの間に配置されている。電動送風機４によって昇圧された吹出気流１２は、吹出風路１８内において第一ノズル吹出気流１２ａと第二ノズル吹出気流１２ｂとに分流される。高圧空気２３である第二ノズル吹出気流１２ｂは、手乾燥室２の中央近傍の所定の領域１４に向けてスポット的に吹き出される。ここで、第二ノズル吹出気流１２ｂが吹き出す手乾燥室２の中央近傍の所定の領域１４とは、手乾燥室２の中央近傍部分の領域であって、第一ノズル吹出気流１２ａが吹き出す領域よりも奥側２１の領域である。
【００１６】
上記構成により、手挿入口１の近傍の第一ノズル吹出気流１２ａによって、手５の抜き差し動作時に大きな水滴が吹き飛ばされる。そして、手５が手乾燥室２に挿入された状態において、手５の揉み合わせ動作時に、揉み合わせた手５に対して指先５１の側および手の甲など手５全体に気流が当たる。このようにして、大きな水滴が吹き飛ばされた後に残った小さな水滴が、効果的に吹き飛ばされながら蒸発する。ここで第二ノズル吹出気流１２ｂは、第一ノズル吹出気流１２ａに干渉せず、指向性と風速とを保ったまま、挿入した手５に当たる。
【００１７】
図３は、本発明の実施の形態の手乾燥装置の正面図である。図３に示すように第二のノズル３ｂは、第一の吹出孔３ｅと第二の吹出孔３ｆとを含む複数の第二ノズル吹出孔４３により構成されている。第一の吹出孔３ｅは複数の第二ノズル吹出孔４３の中において、一方の端に位置している。また第二の吹出孔３ｆは複数の第二ノズル吹出孔４３の中において、他方の端に位置している。そして第一の吹出孔３ｅと第二の吹出孔３ｆとの第二ノズル吹出孔間距離２５は、２０ｍｍ以上１５０ｍｍ以下とすることが好ましい。言い換えれば、第二のノズル３ｂは、２０ｍｍ以上１５０ｍｍ以下の範囲に設けた複数の第二ノズル吹出孔４３から構成されることが好ましい。
【００１８】
これは、手乾燥室２の中央において手５を揉み合わせた時、揉み合わせた手５のみに集中して第二ノズル吹出気流１２ｂを当て、小さな水滴を効率的に蒸発させるためである。第二ノズル吹出孔間距離２５が、１５０ｍｍ以内の場合、揉み合わせた手５全体に十分に集中して気流が当たる。しかし、揉み合わせた手５の最大幅４２は、一般的な手５の大きさから勘案すると２０ｍｍ〜１００ｍｍ程度である。揉み合わせた手５に当たらない無駄な気流を減らすために、さらに好ましくは第二ノズル吹出孔間距離２５は、２０ｍｍ以上１００ｍｍ以下にするとよい。
【００１９】
上記構成により、手５が手乾燥室２の中央近傍に挿入された時、揉み合わせた手５に集中して第二ノズル吹出気流１２ｂが当たる。その結果、手５に当たらない吹出気流が減少し、無駄なエネルギーが抑制される。
【００２０】
また、第二のノズル３ｂの複数の第二ノズル吹出孔４３は、それぞれ吹出方向が互いに平行であることが好ましい。その結果、第二のノズル３ｂのそれぞれの第二ノズル吹出気流１２ｂが互いに衝突しないため、気流の衝突によるエネルギーのロス、および騒音の発生が抑制される。
【００２１】
また、図１に示す電動送風機４から第一のノズル３ａの吹出口までの吹出風路１８は、電動送風機４から第二のノズル３ｂの吹出口までの吹出風路１８よりも短くする。このようにして第一のノズル３ａの第一ノズル吹出気流１２ａの風速は、第二のノズル３ｂの第二ノズル吹出気流１２ｂの風速よりも大きくすることが好ましい。その結果、大きな水滴が吹き飛ばされやすくなるため、手５の抜き差し時の乾燥時間が短縮される。
【００２２】
また図１に示すように電動送風機４から第二のノズル３ｂに向かう吹出風路１８の途中に加熱装置１５が設けられ、加熱装置１５は電動送風機４と連動して入り切りされることが好ましい。加熱装置１５によって第二のノズル３ｂの第二ノズル吹出気流１２ｂの吹出温度は、第一のノズル３ａの第一ノズル吹出気流１２ａの吹出温度よりも高くなり、手５の抜き差し後に残った小さな水滴は効果的に蒸発される。
【００２３】
また、第一のノズル３ａと第二のノズル３ｂとの所定距離２４は、挿入方向６に５０ｍｍ以上１００ｍｍ以下とすることが好ましい。
【００２４】
その結果、第一ノズル吹出気流１２ａと第二ノズル吹出気流１２ｂとが互いに影響されずに、速度および温度を保ったまま手乾燥室２に挿入された手５に到達する。所定距離２４が５０ｍｍ未満である場合、第一のノズル３ａと第二のノズル３ｂとの、高風速の吹出気流１２にもう一方の吹出気流１２が誘引される。そのため揉み合わせた手５に吹出気流１２が到達する前に、どちらか一方の吹出方向に寄った気流となり、手５全体に当たりにくくなる。
【００２５】
また、所定距離２４が５０ｍｍ以上であると、センサ７が第一のノズル３ａと第二のノズル３ｂとの間に配置されるスペースが確保でき、手乾燥装置の構造が簡易化できる。
【００２６】
また、所定距離２４が１００ｍｍを超える場合、手乾燥室２が大きくなり、指先５１と手首とにのみ気流が当たり乾燥ムラが生じる。一般的な手５の大きさを勘案して、所定距離２４は１００ｍｍ以下とした。従って、第一ノズル吹出気流１２ａと第二ノズル吹出気流１２ｂとが互いに影響を受けず、指向性、速度、および温度を保ったまま手乾燥室２に挿入された手５に到達し、手５を揉み合わせた時に水滴が効果的に吹き飛ばされ蒸発する。このように本発明の実施の形態の手乾燥装置は、低消費電力、低騒音かつ手５の乾燥時間を短縮できる。
【００２７】
なお本実施の形態では、第一のノズル３ａに向かう吹出気流１２と、第二のノズル３ｂに向かう吹出気流１２とを同じ吹出風路１８において分流させている。しかし、第二のノズル３ｂに向かう吹出気流１２の風路が、第一のノズル３ａに向かう吹出気流１２の風路とは別に備えられても、作用効果に差異はない。
【００２８】
また本実施の形態では、第二のノズル３ｂに向かう吹出風路１８の途中に加熱装置１５が設けられている。しかし、加熱装置１５を通過した吹出気流１２が、第一のノズル３ａと第二のノズル３ｂとに流れるように、加熱装置１５を配置してもよい。この場合、第二ノズル吹出気流１２ｂに加えられる熱量が、第一ノズル吹出気流１２ａに加えられる熱量よりも多くされる。そして第二ノズル吹出気流１２ｂが、第一ノズル吹出気流１２ａよりも温度の高い気流とされればよい。
【００２９】
図４は、本発明の実施の形態の手乾燥装置の第１の異なる形態の側面断面図である。図４に示すように第二のノズル３ｂの吹出方向は、手乾燥室２の奥側２１に向かって傾斜させることが好ましい。
【００３０】
上記構成により、揉み合わせた手５の指先５１に対して、第二ノズル吹出気流１２ｂが水滴を指先５１から吹き飛ばす方向に当たる。そのため大きな水滴が吹き飛ばされた後に残った小さな水滴が、効果的に吹き飛ばされ蒸発し、手５の乾燥時間が短縮する。
【００３１】
図５は、本発明の実施の形態の手乾燥装置の第２の異なる形態の手乾燥室上面図である。図５に示すように、手乾燥装置が３０℃〜５０℃の温暖な環境下において使用される場合、第一のノズル３ａの第一ノズル開口面積６１ａは、第二のノズル３ｂの第二ノズル開口面積６１ｂよりも大きくすることが好ましい。
【００３２】
上記構成により、第一ノズル吹出気流１２ａの風量は第二ノズル吹出気流１２ｂの風量よりも多くなる。そのため、図１の手５の抜き差し動作時、大きな水滴が吹き飛ばされやすくなる。一方、第二ノズル吹出気流１２ｂの風量が絞られ、温風気流のための図１の加熱装置１５の出力が抑えられるため、手乾燥装置が温暖な環境下において使用されても使用感が損なわれず、乾燥時間が短縮される。
【００３３】
図６は、本発明の実施の形態の手乾燥装置の第３の異なる形態の手乾燥室上面図である。図６に示すように、手乾燥装置が０℃〜２０℃の寒冷な環境下において使用される場合、第二のノズル３ｂの第二ノズル開口面積６１ｂは、第一のノズル３ａの第一ノズル開口面積６１ａよりも大きくすることが好ましい。
【００３４】
上記構成により、第二ノズル吹出気流１２ｂの風量が、第一ノズル吹出気流１２ａの風量よりも多くなる。そのため、手５の抜き差し動作後、残った小さな水滴が吹き飛ばされながら蒸発しやすくなる。一方、第一ノズル開口面積６１ａが小さいため図１の電動送風機４の出力が抑えられ、寒冷な環境下において使用されても使用感が損なわれず、乾燥時間が短縮される。
【００３５】
このように本実施の形態の手乾燥装置は、温暖な環境下でも、また寒冷な環境下でも使用感が損なわれず、低消費電力かつ乾燥時間が短縮される。
【００３６】
また図６に示すように第一のノズル３ａの第一ノズル吹出孔７１は、挿入方向６が短辺となる長方形のスリット形状がよい。
【００３７】
上記構成により、第一ノズル吹出気流１２ａの風速が維持されながら、図１の手５の抜き差し時に気流が当たる面積が増やせる。そのため、手５の抜き差し時に、より効果的に大きな水滴が吹き飛ばされる。さらに、手５の抜き差し後に手５に残る小さな水滴も減るため、手５を揉み合わせて乾燥させる時の乾燥時間が長くなることがない。そして第二ノズル開口面積６１ｂが減らされて、図１の電動送風機４の出力が抑制され、低消費電力かつ、手５の乾燥時間が短縮される。
【００３８】
図７は、本発明の実施の形態の手乾燥装置の第４の異なる形態の手乾燥室上面図である。図７に示すように第二のノズル３ｂは、挿入方向６に対して傾斜させて配置されている。また第二のノズル３ｂは、右側第二のノズル３ｃと左側第二のノズル３ｄとから構成されている。
【００３９】
第二のノズル３ｂは、挿入方向６に対して手乾燥室２の中央から端に向かい、奥側２１に向けて末広がりになるよう斜めに配置されている。言い換えれば、右側第二のノズル３ｃは挿入方向６に対して右奥斜め方向に、左側第二のノズル３ｄは挿入方向６に対して左奥斜め方向に配置されている。右側第二のノズル３ｃと、左側第二のノズル３ｄとは左右対称とは限らないが、左右対称に配置されることが好ましい。このように手前側２０から挿入方向６を見て、右側第二のノズル３ｃは手乾燥室２の中央から右側に設けられ、左側第二のノズル３ｄは手乾燥室２の中央から左側に設けられている。
【００４０】
この時の斜めに配置された第二のノズル３ｂの傾き角度、すなわち手乾燥室２の幅方向から奥側２１に向かった角度θは３０°〜６０°がよい。角度θは、手乾燥室２から図１の手５を抜くときに、手５の側面側から斜め方向に向かって効果的に水滴を吹き飛ばすことを考慮して決められている。
【００４１】
ここで、手乾燥室２の中央において揉み合わせた手５のみに集中して第二ノズル吹出気流１２ｂを当てるため、右側第二のノズル３ｃと左側第二のノズル３ｄとの第二ノズル間距離２６は５０ｍｍ以上１５０ｍｍ以下がよい。しかし第二のノズル３ｂの吹出し方向が傾斜され、右側第二のノズル３ｃおよび左側第二のノズル３ｄの吹出方向がそれぞれ手乾燥室２の中央領域に向かってもよいし、第二ノズル間距離２６は１５０ｍｍより大きくてもよい。
【００４２】
また、第二のノズル３ｂに挟まれる手乾燥室２上面の中央のスペースには手５を検知するためのセンサ７が設けられている。センサ７は、右側第二のノズル３ｃと左側第二のノズル３ｄとの間に設けられている。
【００４３】
また、図７に示すように第一ノズル吹出気流１２ａと、第二ノズル吹出気流１２ｂとが互いに影響しないように第二のノズル３ｂと、第一のノズル３ａとの所定距離２４は５０ｍｍ以上１００ｍｍ以下が好ましい。しかし、第二のノズル３ｂの吹出方向が、挿入方向６に対して奥側２１に向かうように第二のノズル３ｂの吹出し方向を傾斜させることにより、同様の効果が得られる。そのため、所定距離２４は５０ｍｍ未満としてもよい。ただし、その場合においても所定距離２４は、各々の気流が互いに影響しないようにするため、２０ｍｍ以上が好ましい。
【００４４】
第一ノズル吹出気流１２ａの吹出し方向は、鉛直方向を基準として、手乾燥室２を正面から見て手前側２０から奥側２１に±５°の範囲内であることが好ましい。これは次の理由による。手前側２０に５°を超えて傾くと手５の抜き差し時に吹き飛ばされた水滴が使用者に向かうため、使用者が濡れてしまう可能性がある。また、奥側２１に５°を超えて傾けた場合、第一のノズル３ａの吹出気流を当てるためには、手５を手乾燥室２の奥まで挿入する必要があり、使い勝手が悪くなる。
【００４５】
第二ノズル吹出気流１２ｂの吹出し方向は、鉛直方向を基準として、手乾燥室２を正面から見て手前側２０から奥側２１に５°〜２５°の範囲内が好ましい。これは次の理由による。使用者に向かって水滴が飛ばないようにするには、奥側２１に５°以上傾けることが好ましい。また、手５を手乾燥室２に挿入した時に、手５が手乾燥室２の奥側２１の壁面に触れないようにするためには、奥側２１への傾きを２５°以下にすることが好ましい。
【００４６】
第一ノズル吹出気流１２ａと第二ノズル吹出気流１２ｂとは互いに影響させないために、第一のノズル３ａの吹出方向と第二のノズル３ｂの吹出方向とは互いに離れる方向に吹出せばよい。
【００４７】
上記構成により手乾燥室２から手５を抜く時、第二ノズル吹出気流１２ｂが手の平もしくは手の甲を横切るように斜めに当たるため、効果的に水滴が吹き飛ばされる。
【００４８】
具体的には手乾燥室２から手５を抜く時、手の甲を上面にした場合、手５に付着した水滴は小指の付け根から親指又は人差し指の先端に向かって集められ、効果的に水滴が吹き飛ばされる。また、手乾燥室２から手５が抜かれる時、手の平を上面にした場合、手５に付着した水滴は親指の付け根から小指又は薬指の先端に向かって集められ、効果的に水滴が吹き飛ばされる。
【００４９】
また、吹き飛ばされずに残った水滴は手５の側面に集まっているので、手５を揉み合わせて乾かす時に効果的に水滴が蒸発させられるため、乾燥時間が短縮される。
【００５０】
なお、第二のノズル３ｂの形状は長方形のスリットとしたが、これに限るものではない。例えば第二のノズル３ｂは、波形状、棒形状、丸形状、多角形状、或いはその他の形状の複数の穴を斜めに配置しても同様の効果が得られる。
【００５１】
図８は、本発明の実施の形態の手乾燥装置の第５の異なる形態の手乾燥室上面図である。図８に示すように第二のノズル３ｂ（右側第二のノズル３ｃおよび左側第二のノズル３ｄ）は、挿入方向６に対して手乾燥室２の端から中央に向かって、奥側２１に向けてしぼむよう斜めに配置されてもよい。言い換えれば、右側第二のノズル３ｃは挿入方向６に対して左奥斜め方向に、左側第二のノズル３ｄは挿入方向６に対して右奥斜め方向に配置されている。右側第二のノズル３ｃと左側第二のノズル３ｄとは、挿入方向６に対して左右対称に配置されることが好ましい。
【００５２】
この時の斜めに配置された第二のノズル３ｂの傾き角度、すなわち手乾燥室２の幅方向から手前側２０に向かう角度θは３０°〜６０°がよい。角度θは、手乾燥室２から図１の手５を抜くときに、手５の側面側から斜め方向に向かって効果的に水滴を吹き飛ばすことを考慮して決められている。
【００５３】
ここで、手乾燥室２の中央において揉み合わせた手５のみに集中して第二ノズル吹出気流１２ｂを当てるため、右側第二のノズル３ｃと左側第二のノズル３ｄとの第二ノズル間距離２６は５０ｍｍ以上１５０ｍｍ以下がよい。しかし、第二のノズル３ｂの吹出し方向が傾斜され、右側第二のノズル３ｃおよび左側第二のノズル３ｄの吹出方向がそれぞれ手乾燥室２の中央領域に向かってもよいし、第二ノズル間距離２６は１５０ｍｍより大きくてもよい。
【００５４】
また、第二のノズル３ｂに挟まれる手乾燥室２上面の中央のスペースには手５を検知するためのセンサ７が設けられている。センサ７は、右側第二のノズル３ｃと左側第二のノズル３ｄとの間に設けられている。
【００５５】
また、第一ノズル吹出気流１２ａと、第二ノズル吹出気流１２ｂとが互いに影響しないように所定距離２４は５０ｍｍ以上１００ｍｍ以下が好ましい。しかし第二のノズル３ｂの吹出方向が、挿入方向６に対して奥側２１に向かうように第二のノズル３ｂの吹出し方向を傾斜させることにより、同様の効果が得られる。そのため、所定距離２４は５０ｍｍ未満としてもよい。ただし、その場合においても所定距離２４は、各々の気流が互いに影響しないようにするため２０ｍｍ以上が好ましい。
【００５６】
第一ノズル吹出気流１２ａの吹出し方向は、鉛直方向を基準として、手乾燥室２を正面から見て手前側２０から奥側２１に±５°の範囲内であることが好ましい。これは次の理由による。手前側２０に５°を超えて傾くと手５の抜き差し時に吹き飛ばされた水滴が使用者に向かうため、使用者が濡れてしまう可能性がある。また、奥側２１に５°を超えて傾けた場合、第一のノズル３ａの吹出気流を当てるためには、手５を手乾燥室２の奥まで挿入する必要があり、使い勝手が悪くなる。
【００５７】
第二ノズル吹出気流１２ｂの吹出し方向は、鉛直方向を基準として、手乾燥室２を正面から見て手前側２０から奥側２１に５°以上２５°以下の範囲内が好ましい。これは次の理由による。使用者に向かって水滴が飛ばないようにするには、奥側２１に５°以上傾けることが好ましい。また、手５を手乾燥室２に挿入した時に、手５が手乾燥室２の奥側２１の壁面に触れないようにするためには、奥側２１への傾きを２５°以下にすることが好ましい。
【００５８】
第一ノズル吹出気流１２ａと第二ノズル吹出気流１２ｂとは互いに影響させないために、第一のノズル３ａの吹出方向と第二のノズル３ｂの吹出方向とは互いに離れる方向に吹出せばよい。
【００５９】
上記構成により手乾燥室２から手５を抜く時、第二ノズル吹出気流１２ｂが手の平もしくは手の甲を横切るように斜めに当たるため、効果的に水滴が吹き飛ばされる。
【００６０】
具体的には手乾燥室２から手５を抜く時、手の甲を上面にした場合、手５に付着した水滴は親指の付け根から小指又は薬指の先端に向かって集められ、効果的に水滴が吹き飛ばされる。また、手乾燥室２から手５が抜かれる時、手の平を上面にした場合、手５に付着した水滴は小指の付け根から親指又は人差し指の先端に向かって集められ、効果的に水滴が吹き飛ばされる。
【００６１】
また、吹き飛ばされずに残った水滴は手５の側面に集まっているので、手５を揉み合わせて乾かす時に効果的に水滴が蒸発させられるため、乾燥時間が短縮される。
【００６２】
なお、第二のノズル３ｂの形状は長方形のスリットとしたが、これに限るものではない。例えば第二のノズル３ｂは、波形状、棒形状、丸形状、多角形状、或いはその他の形状の複数の穴を斜めに配置しても同様の効果が得られる。
【００６３】
図９は、図７の手乾燥装置の斜視図である。図９に示すように、右側第二のノズル３ｃの右側第二ノズル吹き出し方向１２ｃ、および左側第二のノズル３ｄの左側第二ノズル吹き出し方向１２ｄが、それぞれ手乾燥室２の中央に向くように第二のノズル３ｂが傾斜する。そして第二ノズル間距離２６は５０ｍｍ以上１５０ｍｍ以下にする。このことにより手乾燥室２上面において、右側第二のノズル３ｃと左側第二のノズル３ｄとの間にセンサ７が設けられる。このため、手乾燥室２上面におけるスペースが有効に活用され、奥行き方向にコンパクトな手乾燥装置が得られる。
【００６４】
このように本発明の実施の形態の手乾燥装置は、本体のスペースが有効に活用されながら、手５の乾燥時間が短縮される。図８の手乾燥装置についても同様に、本体のスペースの有効活用と手５の乾燥時間の短縮とが図られる。
【産業上の利用可能性】
【００６５】
本発明の手乾燥装置は手の乾燥目的以外に、ノズル構造を用いた設備乾燥機器への転用により、短時間に物体を乾燥させる工業用の乾燥用途にも適用できる。
【符号の説明】
【００６６】
１    手挿入口
２    手乾燥室
３    ノズル
３ａ    第一のノズル
３ｂ    第二のノズル
３ｃ    右側第二のノズル
３ｄ    左側第二のノズル
３ｅ    第一の吹出孔
３ｆ    第二の吹出孔
４    電動送風機
５    手
６    挿入方向
７    センサ
８    吸込口
９    吸込空気
１０    フィルタ
１１    吸込風路
１２    吹出気流
１２ａ    第一ノズル吹出気流
１２ｂ    第二ノズル吹出気流
１２ｃ    右側第二ノズル吹き出し方向
１２ｄ    左側第二ノズル吹き出し方向
１３    吹出孔
１４    所定の領域
１５    加熱装置
１６    壁面
１８    吹出風路
２０    手前側
２１    奥側
２２    外部
２３    高圧空気
２４    所定距離
２５    第二ノズル吹出孔間距離
２６    第二ノズル間距離
４２    最大幅
４３    第二ノズル吹出孔
５１    指先
６１ａ    第一ノズル開口面積
６１ｂ    第二ノズル開口面積
７１    第一ノズル吹出孔
【図１】
2014049921.tif 000003
【図２】
2014049921.tif 000004
【図３】
2014049921.tif 000005
【図４】
2014049921.tif 000006
【図５】
2014049921.tif 000007
【図６】
2014049921.tif 000008
【図７】
2014049921.tif 000009
【図８】
2014049921.tif 000010
【図９】
2014049921.tif 000011
【図１０】
2014049921.tif 000012
【国際調査報告】
2014049921.tif 000013
2014049921.tif 000014
2014049921.tif 000015
2014049921.tif 000016